(57)【要約】      （修正有） 【課題】簡単な構造で火床容器体の安全性を高めるバーベキュー用コンロを提供する。【解決手段】火床容器体２を前面開口部からコンロ本体１に装着した際のスライドレール部１６における載置突部２１，２２より前方位置に、火床容器体２の持ち上げ傾斜移動で載置突部２１，２２が越えることが可能な高さのストッパー突出部１７を設け、載置突部２１，２２の前後間にストッパー突出部１７の形成位置を外してスライド移動可能とした切欠部ｂを形成する。【選択図】図２
0003190013.tif 000002
【実用新案登録請求の範囲】
【請求項１】
矩形枠状の上方開口部を有するように支持脚部を適宜連結し、上方開口部近傍の左右側面個所にスライドレール部を設けると共に、スライドレール部より適宜間隔上方の前面位置に横杆を架設した前面開口部を有するコンロ本体と、前面開口部から差し入れ可能な大きさで、前記スライドレール部に載置する載置突部を設けると共に、前面に取っ手を付設して引出状に装着する火床容器体とを備え、前記火床容器体を前面開口部からコンロ本体に装着した際のスライドレールにおける載置突部より前方位置に、火床容器体の持ち上げ傾斜移動で載置突部が越えることが可能な高さのストッパー突出部を設け、前記載置突部の前後間に前記ストッパー突出部の形成位置を外してスライド移動可能とした切欠部に形成してなることを特徴とするバーベキュー用コンロ。
【請求項２】
火床容器体の上縁を鍔状として載置突部に形成してなる請求項１記載のバーベキュー用コンロ。
【請求項３】
上縁の奥方四分の一の範囲を載置突部としてなる請求項２記載のバーベキュー用コンロ。
【請求項４】
左右の前後支持脚杆間に対向周壁板を形成すると共に、前記対向周壁板にガイドレール部を設けてなる請求項１乃至３記載の何れかのバーベキュー用コンロ。
【請求項５】
対向周壁板の上縁を段差に形成してスライドレール部を設けてなる請求項４記載のバーベキュー用コンロ。
【請求項６】
ストッパー突出部をスライドレールの切り起こしで形成してなる請求項５記載のバーベキュー用コンロ。
【請求項７】
支持脚杆を下方開口コの字状に形成して、前方の上部杆を横杆としてなる請求項１乃至６記載の何れかのバーベキュー用コンロ。
【考案の詳細な説明】
【技術分野】
【０００１】
本考案は、バーベキュー用コンロに係るものである。
【背景技術】
【０００２】
バーベキュー用コンロは多種多様なものが知られているが、本考案は特に引出形式の火床容器体を備えた器具に関するものである。
【０００３】
バーベキュー用コンロは、基本的に脚杆上方間を連結して枠状のコンロ本体に形成すると共に、対向する周壁板の内方にレール部を設け、鍔縁部を備えた火床容器体を上方枠の開口個所から差し入れ、レール部上に鍔縁部を載置して火床容器体をコンロ本体に組み込むようにしている。
【０００４】
ところでコンロを使用している途中で炭の追加などのために火床容器体を引き出した際に、火床容器体がそのまま抜けてしまうと非常に危険であるので、特に途中まで引き出した状態で、火床容器体の引き出し操作が阻止される安全構造が従前より提案されている。
【０００５】
例えば特許文献１には、火床容器体の底裏面中間に係止突部を突設し、火床容器体を出し入れする開口個所に、前記係止突部が衝突する係止受部を設けている安全機構が開示されている。また特許文献２には、火床容器体の底内面中間から上方へ突出した係止棒を突設し、火床容器体を出し入れする開口の横枠杆に、前記係止棒が衝突する構造が開示されている。
【０００６】
またレール部の入り口側に、レール部の一部の切り起こしで形成したストッパー部を設け、差し入れた火床容器体が抜け出るのを防止する構造も知られている。
【先行技術文献】
【特許文献】
【０００７】
【特許文献１】登録実用新案第３１５１２５０号公報。
【特許文献２】特開２０１０−１２０４０号公報。
【考案の概要】
【考案が解決しようとする課題】
【０００８】
特許文献１，２に開示されている安全機構は、当該安全機構のために係止突部或いは係止棒を設けるという部材及び当該部材を溶接する等の加工が必要であり、特許文献２の安全機構は更に係止受部を付設する必要があり、火床容器体を本体から分離する操作が不便であり、このため使用後の器具清掃作業が煩瑣である。
【０００９】
そこで本考案は、火床容器体の抜け出し防止用のストッパー部を有効に利用して、簡単な構造で安全機能を向上させたバーベキュー用コンロを提案したものである。
【課題を解決するための手段】
【００１０】
本考案の請求項１記載に係るバーベキュー用コンロは、矩形枠状の上方開口部を有するように支持脚部を適宜連結し、上方開口部近傍の左右側面個所にスライドレール部を設けると共に、スライドレール部より適宜間隔上方の前面位置に横杆を架設した前面開口部を有するコンロ本体と、前面開口部から差し入れ可能な大きさで、前記スライドレール部に載置する載置突部を設けると共に、前面に取っ手を付設して引出状に装着する火床容器体とを備え、前記火床容器体を前面開口部からコンロ本体に装着した際のスライドレール部における載置突部より前方位置に、火床容器体の持ち上げ傾斜移動で載置突部が越えることが可能な高さのストッパー突出部を設け、前記載置突部の前後間に前記ストッパー突出部の形成位置を外してスライド移動可能とした切欠部に形成してなることを特徴とするものである。
【００１１】
而して火床容器体を側方開口部より引き出し状に差し入れてコンロ本体に装着されるもので、特に差し入れに際しては奥方の載置突部がストッパー突出部を越えるように操作し、ストッパー突出部を越えると、奥方載置突部がスライドレール部上を摺動し、前方載置突部の奥方側がストッパー突出部に衝突する。再度ストッパー突出部を越えさせて、前方載置突部をストッパー突出部の背後に位置させ、火床容器体を組み込んでコンロを構成し、上方開口部の上に網板や鉄板を載置してバーベキュー調理に使用するものである。
【００１２】
従って火床容器体は、ストッパー突出部によって抜き出るのが阻止されて安全に使用され、更に使用中に燃料供給や燃料取り出しを行う際には、火床容器体の前方側を少し持ち上げて、前方載置突部がストッパー突出部を越えるようにして引き出し、前方載置突部がストッパー突出部を越えると、ストッパー突出部が切欠部に位置し、更に引き出すと奥方載置突部がストッパー突出部に衝突してそれ以上の引き出しが阻止され、火床容器体がコンロ本体から離脱するのが防止され安全である。尚、載置突部を前後三段（前後２か所の切欠部）に設けた場合は、二つの位置で火床容器体の抜け出しが阻止される。
【００１３】
また本考案の請求項２に記載のバーベキュー用コンロは、特に火床容器体の上縁を鍔状として載置突部に形成してなり、また請求項３記載のバーベキュー用コンロは、前記上縁の奥方約四分の一程度の範囲を奥方載置突部としてなるもので、載置突部が適宜面積を有する板面となり、火床容器体が安定し、引き出しに際して奥方載置突部がストッパーに衝突する際に、火床容器体の約四分の一がガードレール上に在り、前方（引き出し側）に傾いても火床容器体の上縁が横杆とぶつかり当該状態が維持され安全である。
【００１４】
また本考案の請求項４記載のバーベキュー用コンロは、左右の前後支持脚部間に対向周壁を形成すると共に、前記対向周壁にガイドレール部を設けてなるものであり、請求項５記載のバーベキュー用コンロは、前記対向周壁の上縁を段差に形成してスライドレール部を設けてなり、請求項６記載のバーベキュー用コンロは、ストッパー突出部を前記スライドレール部の切り起こしで形成してなるもので、スライドレール部及びストッパー突出部を容易に形成できるものである。
【考案の効果】
【００１５】
本考案の構成は上記のとおりで、火床容器体におけるガイドレール部に載置する載置突部を、切欠部を備えさせて前後多段にするという簡単な構造で、ガイドレールに設けたストッパー突出部に対して使用時と引出操作時の双方で作用させ、安全のための引き出し阻止機能を向上させたものである。
【図面の簡単な説明】
【００１６】
【図１】本考案の実施形態の火床容器体の全体斜視図。
【図２】同火床容器体の引き出し操作の説明図（非装着時）。
【図３】同図（差し込み当初）。
【図４】同図（差し込み途中）。
【図５】同図（ストッパー部の拡大説明図）。
【考案を実施するための形態】
【００１７】
次に本考案の実施形態について説明する。実施形態に示したバーベキュー用コンロは、コンロ本体１と火床容器体２で構成される。
【００１８】
コンロ本体１は、下方開口コの字状の前後支持脚部１１，１２を対向周壁板１３，１４で連結すると共に、後方周壁板１５を付設して全体を形成したものである。
【００１９】
従って前後支持脚部１１，１２の上杆１１１，１２１及び対向周壁板１３，１４で上方開口部ａを形成する。
【００２０】
また対向周壁板１３，１４の上縁を、支持脚部１１の上杆（横杆）１１１より少し下方位置で、内方から両側外方への段差としてスライドレール部１６を形成すると共に、前記スライドレール部１６の前方端の一部を切り起こし、ストッパー突出部１７に形成したものである。
【００２１】
火床容器体２は、対向周壁板１３，１４の間に収まる大きさで、両側上縁を鍔状に形成すると共に、前記両側上縁の前後二分の一の範囲を切欠部ｂとして、両側上縁を奥方載置突部２１及び前方載置突部２２としたものである。
【００２２】
更に前面には取っ手２３を設け、両側の切欠部ｂの内側の鍔状上縁の上下引出自在に垂下装着した持ち手２４を設けたものである。
【００２３】
而して火床容器体２を前方開口部ｃから引き出し状態で差し入れてコンロ本体に装着されるもので、最初に図２に示す通り持ち手２４で火床容器体２を持ち上げて奥方載置突部２１をストッパー突出部１７の上と上杆（横杆）１１１の間に差し入れ（図３）、次に持ち手２４を下げて収納し、取っ手２３で火床容器体２の前方を持ち上げながら奥方に押し込んで前方載置突部２２をストッパー突出部１７の背後に位置させて、火床容器体２を組み込み、コンロを構成するものである。
【００２４】
そして必要に応じて火床容器体２内に火皿（図示せず）を敷き、火皿状に点火した炭を入れ、上方開口部ａ上に網板や鉄板（図示せず）を載置し、バーベキュー調理に使用するものである。
【００２５】
特に本考案では、コンロ本体１に火床容器体２を装着させた状態そのままでは、火床容器体２を引き出そうとしても、前方載置突部２２の前縁がストッパー突出部１７に衝突するので、自然に抜き出るのが阻止され安全に使用される。
【００２６】
また調理途中で網板などが装着している状態で炭等を供給する必要な場合には、一旦火床容器体２の前方を持ち上げて前方載置突部２２がストッパー突出部１７を超える状態で引き出し、更にそのまま引き出して前方載置突部２２がストッパー突出部１７を越えると、ストッパー突出部１７が切欠部に位置し、更に引き出すと奥方載置突部２１がストッパー突出部１７に衝突する（図５）。
【００２７】
従って普通の引き出し操作では、当該位置で火床容器体２がコンロ本体１からの離脱が防止され、止まってしまい、火床容器体２が抜け落ちることが無いので、安全である。また特に奥方載置部２１を所定の長さ（奥方１／４程度）としておくと、持ち手２４を離しても、火床容器体２の上縁が上杆（横杆）１１１とぶつかり、当該状態が維持され、炭の供給も容易に行うことができる。
【００２８】
なお本考案は、火床容器体２の載置突部２１，２２とスライドレール部１６に設けたストッパー突出部の組み合わせに特徴があり、コンロ本体１は、前記の特徴を実現できる構成であれば、前記の実施形態に限定されるものではない。
【符号の説明】
【００２９】
１      コンロ本体
１１    前方支持脚部
１１１    上杆（横杆）
１２    後方支持脚部
１２１    上杆
１３，１４  対向周壁板
１５    後方周壁板
１６    スライドレール部
１７    ストッパー突出部
２      火床容器体
２１    奥方載置突部
２２    前方載置突部
２３    取っ手
２４    持ち手
【図１】
0003190013.tif 000003
【図２】
0003190013.tif 000004
【図３】
0003190013.tif 000005
【図４】
0003190013.tif 000006
【図５】
0003190013.tif 000007